(57)【要約】【課題】コストをかけずに簡単に電柱全体を補強する。【解決手段】電柱３の側面に補強部材２を押し当てて補強する電柱用補強部材取付金具１であって、基部側である締付片１１ｂに締付けボルト１４ａが挿入される締付けボルト孔が形成されている一方、先端側には連結ボルト１３ａが挿入される１または複数の連結ボルト孔が形成された一対の締付けバンド１１，１１と、補強部材２を電柱３に押付ける補強部材押付け片１２ａと、補強部材押付け片１２ａの両側に設けられ、それぞれ連結ボルト１３ａが挿入される１または複数の連結ボルト孔が形成され、連結ボルト１３ａによって一対の締付けバンド１１と連結される連結片１２ｂ，１２ｂとを有する補強部材押付けバンド１２とを備える。【選択図】図５
2019019487.tif 000002
【特許請求の範囲】
【請求項１】
電柱の側面に補強部材を押し当てて補強する電柱用補強部材取付金具であって、
基端側に締付けボルトが挿入される締付けボルト孔が形成されている一方、先端側には連結ボルトが挿入される１または複数のボルト孔が形成された一対の締付けバンドと、
両側にはそれぞれ前記連結ボルトが挿入される１または複数のボルト孔が形成されて、前記連結ボルトによって前記一対の締付けバンドと連結され、前記補強部材を電柱に押付ける補強部材押付けバンドと、
を備えることを特徴とする電柱用補強部材取付金具。
【請求項２】
請求項１記載の電柱用補強部材取付金具において、
前記補強部材は、ウエブ部と、そのウエブ部の両側に対向する一対のフランジ部とを有する平面視の断面形状がコ字形状のチャネル鋼であり、
前記補強部材押付けバンドは、前記補強部材の一対のフランジ部先端が前記電柱の外周面に当接して押付けられるように前記補強部材のウエブ部の幅に応じて曲げられた補強部材押付け片を有することを特徴とする電柱用補強部材取付金具。
【請求項３】
請求項１または請求項２記載の複数組の電柱用補強部材取付金具と、
前記複数組の電柱用補強部材取付金具により電柱の外周面に押付けられる補強部材と、
を有することを特徴とする電柱の補強構造。
【請求項４】
請求項１または請求項２記載の電柱用補強部材取付金具を複数組使用して、電柱と補強部材の長手方向に間隔を空けながら電柱と補強部材の周囲に前記電柱用補強部材取付金具を設け、前記電柱の外周面に前記補強部材を押付けて補強するようにしたことを特徴とする電柱の補強方法。
【請求項５】
請求項４記載の電柱の補強方法において、
電柱および補強部材の周囲に設けた複数組の電柱用補強部材取付金具の内、少なくとも最下位の電柱用補強部材取付金具と、前記補強部材の下端部とを地中に埋設することを特徴とする電柱の補強方法。
【発明の詳細な説明】
【技術分野】
【０００１】
本発明は、電柱の側面に補強部材を押し当てて補強する電柱用補強部材取付金具、電柱の補強構造、電柱の補強方法に関する。
【背景技術】
【０００２】
従来の既設の電柱の補強方法として、例えば、繊維補強された樹脂を巻き付けて補強したり、さらには繊維補強された樹脂によって形成された補強片をあらかじめ工場等で生産し、当該補強片を電柱に取り付けて一体化させ、電柱の周方向を覆う連結体を形成し、連結体と電柱とを接着剤で固定する補強方法等が提案されている（例えば、特許文献１参照。）。
【先行技術文献】
【特許文献】
【０００３】
【特許文献１】特開２０１５−２３２２３７号公報
【発明の概要】
【発明が解決しようとする課題】
【０００４】
しかし、上述の特許文献１に記載された従来の電柱補強方法は、既設の電柱の破損や劣化部分等の電柱の部分的な補強に有効な補強方法であるが、電柱に添架する電線やケーブルの増加によって電柱全体を補強する場合には、繊維補強された樹脂によって形成された補強片を電柱全体に取り付けて接着剤で固定する必要があるため、手間がかかると共に、コストがかかるという問題があった。
【０００５】
そこで、本発明は以上の問題点に着目してなされたもので、コストをかけずに簡単に電柱全体を補強することができる電柱用補強部材取付金具、電柱の補強構造、電柱の補強方法を提供することを目的とする。
【課題を解決するための手段】
【０００６】
上記課題を解決するため、本発明に係る電柱用補強部材取付金具は、電柱の側面に補強部材を押し当てて補強する電柱用補強部材取付金具であって、基端側に締付けボルトが挿入される締付けボルト孔が形成されている一方、先端側には連結ボルトが挿入される１または複数のボルト孔が形成された一対の締付けバンドと、両側にはそれぞれ前記連結ボルトが挿入される１または複数のボルト孔が形成されて、前記連結ボルトによって前記一対の締付けバンドと連結され、前記補強部材を電柱に押付ける補強部材押付けバンドと、を備えることを第１の特徴とする。
また、本発明の電柱用補強部材取付金具は、前記補強部材は、ウエブ部と、そのウエブ部の両側に対向する一対のフランジ部とを有する平面視の断面形状がコ字形状のチャネル鋼であり、前記補強部材押付けバンドは、前記補強部材の一対のフランジ部先端が前記電柱の外周面に当接して押付けられるように前記補強部材のウエブ部の幅に応じて曲げられた補強部材押付け片を有することを第２の特徴とする。
また、本発明に係る電柱の補強構造は、前述の複数組の電柱用補強部材取付金具と、前記複数組の電柱用補強部材取付金具により電柱の外周面に押付けられる補強部材と、を有することを特徴とする。
また、本発明に係る電柱の補強方法は、前述の電柱用補強部材取付金具を複数組使用して、電柱と補強部材の長手方向に間隔を空けながら電柱と補強部材の周囲に前記電柱用補強部材取付金具を設け、前記電柱の外周面に前記補強部材を押付けて補強するようにしたことを第１の特徴とする。
また、本発明に係る電柱の補強方法は、前述の電柱の補強方法において、電柱および補強部材の周囲に設けた複数組の電柱用補強部材取付金具の内、少なくとも最下位の電柱用補強部材取付金具と、前記補強部材の下端部とを地中に埋設することを第２の特徴とする。
【発明の効果】
【０００７】
本発明に係る電柱用補強部材取付金具、電柱の補強構造、電柱の補強方法によれば、一対の締付けバンドそれぞれの先端側の１または複数の連結ボルト孔と補強部材押付けバンド両側それぞれの１または複数の連結ボルト孔とにそれぞれ連結ボルトを挿入してナットを螺合すると共に、一対の締付けバンドそれぞれの基端側の締付けボルト孔に締付けボルトを挿入してナットで締め付けて、一対の締付けバンドと補強部材押付けバンドとにより電柱の外周面に補強部材を押付けて補強する。
そのため、コストをかけずに簡単に電柱全体を補強することができる。
【図面の簡単な説明】
【０００８】
【図１】本発明に係る実施形態の電柱用補強部材取付金具を使用して補強している電柱の補強構造を示す正面図である。
【図２】図１におけるＡ部分を拡大して示す正面図である。
【図３】本発明に係る実施形態の電柱用補強部材取付金具を使用して補強している電柱の補強構造の部分拡大斜視図である。
【図４】本発明に係る実施形態の電柱用補強部材取付金具を使用して補強している電柱の補強構造の他の方向の部分拡大斜視図である。
【図５】本発明に係る実施形態の電柱用補強部材取付金具を使用して補強している電柱の補強構造の平面図である。
【図６】本発明に係る実施形態の電柱用補強部材取付金具の斜視図である。
【図７】本発明に係る実施形態の電柱用補強部材取付金具の他の方向の斜視図である。
【図８】本発明に係る実施形態の電柱用補強部材取付金具の平面図である。
【図９】（ａ），（ｂ）それぞれ、本発明に係る実施形態の電柱用補強部材取付金具の正面図、背面図である。
【発明を実施するための形態】
【０００９】
以下、本発明に係る電柱用補強部材取付金具、電柱の補強構造、電柱の補強方法の実施形態について、図面を参照して説明する。なお、下記に説明する実施形態はあくまで本発明の一例であり、本発明は下記の実施形態に限定されるものではなく、本発明の技術思想の範囲内で適宜変更可能である。
【００１０】
＜実施形態の電柱用補強部材取付金具１＞
まず、実施形態の電柱用補強部材取付金具１から説明する。実施形態の電柱用補強部材取付金具１は、図１〜図５に示すように、電柱３の側面に補強部材２を押し当てて補強するもので、一対の締付けバンド１１，１１と、補強部材押付けバンド１２と、これらを連結する連結ボルト１３ａおよび締付けボルト１４ａやナット１３ｂ，１４ｂ等により構成される。
【００１１】
尚、補強部材２は、図５等に示すように、ウエブ部２１と、そのウエブ部２１の両側に対向する一対のフランジ部２２，２２とを有する断面形状がコ字形状の鋼鉄製等のチャネル鋼である。
【００１２】
（一対の締付けバンド１１，１１）
一対の締付けバンド１１，１１は、それぞれ、湾曲形状で後述するように電柱３の外周面に当接する電柱当接片１１ａ，１１ａと、その電柱当接片１１ａ，１１ａの一端部から曲げて設けられ締付ボルト１４ａによって締付けられる締付片１１ｂとを有する金具である。
【００１３】
電柱当接片１１ａ，１１ａは、電柱３の外周面に当接する部分であり、締付片１１ｂと連続する一端側には、後述する締付片１１ｂの締付片側膨出部１１ｂ１と連続する電柱当接片側膨出部１１ａ１が設けられている。
【００１４】
電柱当接片側膨出部１１ａ１は、図５や図８等に示すように、平面視、締付片１１ｂに近付くに従って徐々に電柱当接片１１ａ，１１ａからの高さが高くなるように膨出または湾曲して形成されている。
【００１５】
一方、電柱当接片側膨出部１１ａ１における電柱当接片側膨出部１１ａ１と反対側の他端部には、締付けバンド１１，１１が補強部材押付けバンド１２と長さを調整しながら連結できるように所定間隔を空けて連結ボルト１３ａが挿入される複数の連結ボルト孔１１ａ２が設けられている。尚、ここでは、図６や図７等に示すように、例えば、３個の連結ボルト孔１１ａ２が設けられているが、３個に限られるものでない。
【００１６】
一方、締付けバンド１１の締付片１１ｂには、電柱当接片１１の電柱当接片側膨出部１１ａ１と連続する締付片側膨出部１１ｂ１が形成されており、その締付片側膨出部１１ｂ１には締付ボルト１４ａを通すための締付ボルト孔１１ｂ２が設けられている。
【００１７】
締付ボルト孔１１ｂ２の形状は、本実施形態では角根付きの締付ボルト１４ａを使用するため、正方形状としているが、これに限るものではない。
【００１８】
（補強部材押付けバンド１２）
補強部材押付けバンド１２は、図５〜図７等に示すように、補強部材２を電柱３に押付ける補強部材押付け片１２ａと、補強部材押付け片１２ａの両側から曲げられ、それぞれ、一対の締付けバンド１１，１１の電柱当接片１１ａ，１１ａに連結される連結片１２ｂ，１２ｂとを有する。
【００１９】
補強部材押付け片１２ａは、補強部材２を電柱３に効率良く押付けるため、図５に示すように、補強部材２のウエブ部２１の幅Ｗと同じか、それ以上の幅を有するように構成されている。本実施形態では、図５に示すように、補強部材２のウエブ部２１の幅Ｗと同じにしている。
【００２０】
連結片１２ｂ，１２ｂには、補強部材押付けバンド１２が締付けバンド１１，１１と長さを調整しながら連結できるように所定間隔を空けて連結ボルト１３ａが挿入される複数の連結ボルト孔１２ｂ１が設けられている。尚、ここでは、図６や図７等に示すように、４個の連結ボルト孔１２ｂ１が設けられているが、４個に限られるものでない。
【００２１】
次に、前述の実施形態の電柱用補強部材取付金具１を使用した電柱の補強構造および電柱の補強方法について説明する。
【００２２】
実施形態の電柱の補強構造および電柱の補強方法では、図１に示すように前述した電柱用補強部材取付金具１を例えば６組使用し、図２〜図５に示すように電柱３の側面に補強部材２を押し当てて補強する。
【００２３】
つまり、補強部材２は、ウエブ部２１と、そのウエブ部２１の両側に対向する一対のフランジ部２２，２２とを有する平面視の断面形状がコ字形状のチャネル鋼であるため、図３〜図５等に示すように、補強部材２のウエブ部２１両側のフランジ部２２，２２先端を電柱３の外周面に当接させた状態で、電柱３の外周面に補強部材２が押付けられるように一対の締付けバンド１１，１１は電柱３側、補強部材押付けバンド１２は補強部材２側に来るように配置する。
【００２４】
次に、２個の連結ボルト１３ａおよびナット１３ｂによって一対の締付けバンド１１，１１と補強部材押付けバンド１２とを連結すると共に、一対の締付けバンド１１，１１の締付片１１ｂ，１１ｂの締付ボルト孔１１ｂ２，１１ｂ２に締付ボルト１４ａを通してナット１４ｂで締結して一対の締付けバンド１１，１１同士も連結する。
【００２５】
その際、電柱３および補強部材２の長手方向に間隔を空けて設けた６組の電柱用補強部材取付金具１では、補強部材２および電柱３に対し電柱用補強部材取付金具１があまり緩くならないように、まずは、一対の締付けバンド１１，１１側の３個の連結ボルト孔１１ａ２と、補強部材押付けバンド１２側の４個の連結ボルト孔１２ｂ１とを適宜選択して連結ボルト１３ａおよび締付ボルト１４ａを挿入してそれぞれナット１３ｂ，１４ｂで締結する。
【００２６】
その後、６組の電柱用補強部材取付金具１それぞれにおいて、補強部材２のフランジ部２２，２２先端が電柱３の外周面に強力に当接するように締付ボルト１４ａの一対の締付けバンド１１，１１の締付片１１ｂ，１１ｂに通した締付ボルト１４ａに螺合しているナット１４ｂを締め付ける。その際、角根付きの締付ボルト１４ａを使用しているため、締付ボルト孔１１ｂ２の頭部を押さえる必要がなく、作業効率が良い。
【００２７】
そして、本実施形態の電柱の補強構造および電柱の補強方法では、図１に示すように、補強材２の下端部をアスファルト等の地盤４の中に埋設すると共に、電柱３の外周面に補強部材２を固定している３組の電柱用補強部材取付金具１も地盤４の中に埋設するように設置する。
【００２８】
そのため、単に地上だけで電柱３の外周面に補強部材２を押付ける場合よりも、地中でも電柱用補強部材取付金具１で補強部材２を電柱３に固定しているので、土圧も利用してより強固に電柱３全体を補強することができる。
【００２９】
また、本実施形態の電柱の補強構造および電柱の補強方法では、地上および地中でもそれぞれ３組の電柱用補強部材取付金具１で補強部材２を電柱３に固定するので、地上および地中においてバランス良く電柱３全体を補強することができる。
【００３０】
尚、本実施形態の電柱の補強構造および電柱の補強方法では、地上における最も低い電柱用補強部材取付金具１までの高さＨ１を、地面から２ｍ以上の高さに設置して、電柱用補強部材取付金具１に人の手等が届き難いようにする。
【００３１】
従って、実施形態の電柱用補強部材取付金具１、その金具１を使用した電柱３の補強構造、電柱３の補強方法によれば、一対の締付けバンド１１，１１それぞれの先端側の１または複数の連結ボルト孔１１ａ２と補強部材押付けバンド１２両側それぞれの複数の連結ボルト孔１２ｂ１とにそれぞれ連結ボルト１３ａを挿入してナット１３ｂにより締結すると共に、一対の締付けバンド１１，１１それぞれの基端側の締付けボルト孔１１ｂ２に締付けボルト１４ａを挿入してナット１４ｂで締め付けて、一対の締付けバンド１１，１１と補強部材押付けバンド１２とにより電柱３の外周面に補強部材２を押付けて補強するため、コストをかけずに簡単かつ強力に電柱３全体を補強することができる
【００３２】
特に、実施形態の電柱用補強部材取付金具１では、補強部材２としてウエブ部２１と、そのウエブ部２１の両側に対向する一対のフランジ部２２，２２とを有する平面視の断面形状がコ字形状のチャネル鋼を使用する一方、補強部材押付けバンド１２は補強部材２のウエブ部２１の幅Ｗと同じ幅で折り曲げられた補強部材押付け片１２ａを有するため、補強部材押付け片１２ａが補強部材２のウエブ部２１全体に当接して補強部材２を電柱３に効率良く押付けることができ、電柱３全体を効果的に補強することができる。
【００３３】
また、実施形態の電柱用補強部材取付金具１、その金具１を使用した電柱３の補強構造、電柱３の補強方法では、補強部材２のフランジ部２２，２２先端の２点を電柱３の外周面に押付けて電柱３を補強するため、電柱３を効率良く補強することができると共に、電柱３に対し補強部材２がずれ難くなり、この点でも電柱３全体を効率良く補強することができる。
【００３４】
また、本実施形態の電柱の補強構造および電柱の補強方法では、図１に示すように、補強材２をアスファルト等の地盤４の中に埋設すると共に、電柱３の外周面に補強部材２を押付けている複数組の電柱用補強部材取付金具１が地盤４の中に埋設するように設置するため、単に地上だけで電柱３の外周面に補強部材２を押付ける場合よりも、土圧も利用してより強固に電柱３全体を補強することができる。
【００３５】
また、本実施形態の電柱の補強構造および電柱の補強方法では、地上および地中でもそれぞれ３組の同数の電柱用補強部材取付金具１で補強部材２を電柱３に固定するので、地上および地中においてバランス良く電柱３全体を補強することができる。
【００３６】
また、本実施形態の電柱の補強構造および電柱の補強方法では、地上における最も低い電柱用補強部材取付金具１までの高さＨ１を、地面から２ｍ以上の高さに設置したので、電柱用補強部材取付金具１に人の手等が届き難くすることができる。
【００３７】
尚、本実施形態では、地上および地中においてそれぞれ３組の電柱用補強部材取付金具１で補強部材２を電柱３に固定して説明したが、本発明ではこれに限らず、３組以外でも勿論良く、また、地中と地上における電柱用補強部材取付金具１の使用個数が異なっていても勿論良いし、さらには補強材２の下端部および電柱用補強部材取付金具１を地中に埋設しなくても良い。
【符号の説明】
【００３８】
１  電柱用補強部材取付金具
１１  締付けバンド
１１ａ  電柱当接片
１１ａ１  電柱当接片側膨出部
１１ａ２  連結ボルト孔
１１ｂ  締付片
１１ｂ１  締付片側膨出部
１１ｂ２  締付ボルト孔
１２  補強部材押付けバンド
１２ａ  補強部材押付け片
１２ｂ  連結片
１２ｂ１  連結ボルト孔
１３ａ  連結ボルト
１３ｂ  ナット
１４ａ  締付けボルト
１４ｂ  ナット
２  補強部材
３  電柱
４  地盤
【図１】
2019019487.tif 000003
【図２】
2019019487.tif 000004
【図３】
2019019487.tif 000005
【図４】
2019019487.tif 000006
【図５】
2019019487.tif 000007
【図６】
2019019487.tif 000008
【図７】
2019019487.tif 000009
【図８】
2019019487.tif 000010
【図９】
2019019487.tif 000011